(57)【特許請求の範囲】
【請求項１】
間隙を隔てた建物躯体の間隙部又は一方が壁躯体で他方が間隙を隔てて入隅部を構成するように設置された建物躯体の間隙部に、伸縮自在なパンタグラフ体を配設し、このパンタグラフ体にカバー用ホルダを支持させ、このホルダにカバー材を架設したエキスパンションジョイントにおいて、
上記パンタグラフ体とカバー用ホルダとの片方部を枢支させ他方部に保持具を介して互いに引き寄せた状態で保持し、上記カバー用ホルダにカバー材を取り付けるとともに、
上記カバー用ホルダの一端を上記一方の躯体に軸着し、他端を他方の建物躯体の縁上に遊動自在に支持させた
ことを特徴とするエキスパンションジョイント。
【請求項２】
間隙を隔てた建物躯体の間隙部又は一方が壁躯体で他方が間隙を隔てて入隅部を構成するように設置された建物躯体の間隙部に、伸縮自在なパンタグラフ体を配設し、このパンタグラフ体にカバー用ホルダを支持させ、このホルダにカバー材を架設したエキスパンションジョイントにおいて、
上記パンタグラフ体とカバー用ホルダとが交差する任意な枢支部に保持具を介して互いに引き寄せた状態で保持し、上記カバー用ホルダの長手方向に沿って上記保持具を摺動可能に保持するとともに、
上記カバー用ホルダにカバー材を取り付けたカバー用ホルダの両端を上記両建物躯体の縁上に遊動自在に支持させた、
ことを特徴とするエキスパンションジョイント。
【請求項３】
前記保持具は、前記パンタグラフ体が伸縮するときに前記間隙の幅方向に配設したカバー用ホルダの長手方向に沿って摺動可能に設けられている、請求項１又は２に記載のエキスパンションジョイント。
【請求項４】
前記保持具は、前記カバー用ホルダとパンタグラフ体とを弾性的に引き寄せるものである、請求項１、２又は３に記載のエキスパンションジョイント。
【請求項５】
前記保持具は、前記パンタグラフ体を貫通した杆体と、上記杆体の一端に設けられて前記カバー用ホルダの長手方向に形成された摺動溝に沿って摺動可能なスライド保持部と、杆体の他端とパンタグラフ体との間に設けられたバネ材とから構成されたものである、請求項１、２、３又は４に記載のエキスパンションジョイント。
【請求項６】
前記保持具は 、パンタグラフ体に対して複数個が設けられている、請求項１、２、３、４又は５に記載のエキスパンションジョイント。
【請求項７】
前記パンタグラフ体は、格子状、菱形状の単体又はこの単体を連結したものを含むものである、請求項１、２、３、４、５又は６に記載のエキスパンションジョイント。
【請求項８】
間隙を隔てて相対する建物躯体にそれぞれ設けられた支持部材の固定部材と、パンタグラフ体を回動自在に取りつけた取付部材と、この取付部材に上記パンタグラフ体とを連結軸を介して回動自在に連結した、請求項１、２、３、４、５、６又は７に記載のエキスパンションジョイント。
【請求項９】
前記カバー材を、前記両建物躯体側に配置された側カバーと、前記間隙の中央側に重合配置された中央カバーとから構成し、上記側カバーと中央カバーの背面にそれぞれ側カバー用ホルダと中央カバー用ホルダを設けた、請求項１、２、３、４、５、６、７又は８に記載のエキスパンションジョイント。
【請求項１０】
前記カバー材を、前記両建物躯体側に配置された側カバーと、側カバーのさらに前記間隙の中央側に重合配置された１つ又は複数の補助側カバーと、この補助側カバーの背面に補助側カバー用ホルダを配設し、中央に配置された中央カバーとから構成した請求項９に記載のエキスパンションジョイント。
【発明の詳細な説明】
【０００１】
【発明の属する技術分野】
本発明は伸縮するパンタグラフ体を介して取りつけられたエキスパンションジョイントに関する。
【０００２】
【従来技術とその問題点】
一般に、エキスパンションジョイントにおいては、間隙を隔てて相対する建物躯体にそれぞれ支持部材を固定し、この支持部材にホルダを介して上記間隙を塞ぐカバー材を取りつけるものであるが、建物躯体は震動、不同沈下、温度変化等によって相対的に変位するから、これに対応してカバー材も変動しなければならない。
【０００３】
しかしながら、従来のホルダは必ずしも建物躯体の変位に確実に対応できるものとはいえなかった。特に、建物躯体が互いに離間し接近するような動きに対しては円滑な対応が不充分であった。
【０００４】
【発明が解決しようとする課題】
本発明は上記問題点を解消し、建物躯体の変位に円滑かつ確実に対応することができるエキスパンションジョイントを提供することをその課題とする。
【０００５】
【課題を解決するための手段】
前記課題を解決するため、本発明に係るエキスパンションジョイントは、間隙を隔てた建物躯体の間隙部又は一方が壁躯体で他方が間隙を隔てて入隅部を構成するように設置された建物躯体の間隙部に、伸縮自在なパンタグラフ体を配設し、このパンタグラフ体にカバー用ホルダを支持させ、このホルダにカバー材を架設したエキスパンションジョイントにおいて、上記パンタグラフ体とカバー用ホルダとの片方部を枢支させ他方部に保持具を介して互いに引き寄せた状態で保持し、上記カバー用ホルダにカバー材を取り付けるとともに、上記カバー用ホルダの一端を上記一方の躯体に軸着し、他端を他方の建物躯体の縁上に遊動自在に支持させたことを特徴とする。
【０００６】
また、本発明に係るエキスパンションジョイントは、間隙を隔てた建物躯体の間隙部又は一方が壁躯体で他方が間隙を隔てて入隅部を構成するように設置された建物躯体の間隙部に、伸縮自在なパンタグラフ体を配設し、このパンタグラフ体にカバー用ホルダを支持させ、このホルダにカバー材を架設したエキスパンションジョイントにおいて、上記パンタグラフ体とカバー用ホルダとが交差する任意な枢支部に保持具を介して互いに引き寄せた状態で保持し、上記カバー用ホルダの長手方向に沿って上記保持具を摺動可能に保持するとともに、上記カバー用ホルダにカバー材を取り付けたカバー用ホルダの両端を上記両建物躯体の縁上に遊動自在に支持させたことを特徴とする。
【０００７】
さらに、前記保持具は、前記パンタグラフ体が伸縮するときに前記間隙の幅方向に配設したカバー用ホルダの長手方向に沿って摺動可能に設けられているのが好ましい。
【０００８】
また、前記保持具は、前記カバー用ホルダとパンタグラフ体とを弾性的に引き寄せるものであるのが望ましい。
【０００９】
加えて、前記保持具は、前記パンタグラフ体を貫通した杆体と、上記杆体の一端に設けられて前記カバー用ホルダの長手方向に形成された摺動溝に沿って摺動可能なスライド保持部と、杆体の他端とパンタグラフ体との間に設けられたバネ材とから構成されたものであるのがよい。
【００１０】
また、前記保持具は 、パンタグラフ体に対して複数個が設けられていてもよい。。
【００１１】
さらに、前記パンタグラフ体は、格子状、菱形状の単体又はこの単体を連結したものを含むものであってもよい。
【００１２】
また、間隙を隔てて相対する建物躯体にそれぞれ設けられた支持部材の固定部材とパンタグラフ体を回動自在に取りつけた取付部材と、この取付部材に上記パンタグラフ体とを連結軸を介して回動自在に連結するようにしてもよい。
【００１３】
さらに、前記カバー材を、前記両建物躯体側に配置された側カバーと、前記間隙の中央側に重合配置された中央カバーとから構成し、上記側カバーと中央カバーの背面にそれぞれ側カバー用ホルダと中央カバー用ホルダを設けるようにしてもよい。
【００１４】
同様に、前記カバー材を、前記両建物躯体側に配置された側カバーと、側カバーのさらに前記間隙の中央側に重合配置された１つ又は複数の補助側カバーと、この補助側カバーの背面に補助側カバー用ホルダを配設し、中央に配置された中央カバーとから構成してもよい。
【００１５】
【発明の実施の形態】
図１において符号１、２は建物躯体を示す。間隙Ｓを隔て平面状に相対した建物躯体２、２の間隙部又は１は壁躯体で、２は間隙を隔てて入隅部を構成するように設置された建物躯体で、床躯体、壁躯体、天井躯体や屋根躯体等である。
【００１６】
なお、入隅部を構成した例示を以下に説明する。
【００１７】
上記建物躯体１、２の間隙Ｓにはその長手方向任意に隔てて伸縮自在なパンタグラフ体３が複数個配設されている。このパンタグラフ体３にカバー用ホルダ４が支持され、この複数のカバー用ホルダ４に長尺のカバー材５を架設することによりエキスパンションジョイントが構成されている。
【００１８】
パンタグラフ体３は図２（ａ）に示されるように、４本のリンク６を菱形に連結するとともに、上記リンクのうち相対するリンクの中心を中間リンク７によって連結したもので、上記間隙Ｓの幅方向に伸縮自在となっている。
【００１９】
パンタグラフ体３の両端は建物躯体１、２に向き合いに設けられた支持部材８に支持されている。
【００２０】
支持部材８は、建物躯体１、２に直接ビス止めにて固定された全体コ字状で端縁が止水板用止め縁付きで他縁がＬ字形の固定部材８ａと、該固定部材８ａの先端軸受け部８ｃを支軸９に回動自在に取り付けられた取付部材８ｂとからなり、取付部材８ｂには、間隙Ｓの開口端側にパンタグラフ体３およびカバー用ホルダ４を止着する取付部１０が形成されている。軸受け部８ｃと支軸９は上記間隙Ｓの長手方向に平行に設けられている。そして、両側の支持部材８の取付部１０と上記パンタグラフ体３の伸縮方向の両端とは連結軸１１を介して回動自在に連結されている。連結軸１１は上記間隙Ｓの深さ方向に設けられている。
【００２１】
次に、上記パンタグラフ体３上にはカバー用ホルダ４が支持されている。カバー用ホルダ４は、図２（ａ）（ｂ）に示されるように、断面略Ｃ字形の押出材の対向内壁に摺動溝１２を形成したもので、摺動溝１２の内部には保持具１４の杆体１４ａ端に配したスライド板やボルト頭などの保持部１３が摺動可能に保持されている。
【００２２】
カバー用ホルダ４とパンタグラフ体３の中間リンク７の中心とは上記保持部１３付きの保持具１４によって保持されている。保持具１４は、パンタグラフ体３を貫通した杆体１４ａと、杆体１４ａの支承端部とパンタグラフ体３との間に設けられたスプリング、板等のバネ材１５とから構成されている。これにより、カバー用ホルダ４とパンタグラフ体３とは弾性的に引き寄せられるとともに、保持具１４は、前記間隙に配したパンタグラフ体３が伸縮し、カバー用ホルダ４が移動するときに上記間隙Ｓの幅方向に配したカバー用ホルダ４の摺動溝の長手方向に沿って摺動可能となる。
【００２３】
上記カバー用ホルダ４の一端４ａは上記連結軸１１によって上記壁躯体１にその深さ方向に回動可能に取付けた支持部材８に対し前後方向に回動可能に軸着され、且つ、中間部分はパンタグラフ体３と保持具１４を介して摺動可能に保持し、他端４ｂは他方の建物躯体２の縁１６上に係合して遊動自在に支持されている。
【００２４】
カバー用ホルダ４の上面にはカバー材５がネジ止め固定されている。そして、カバー材５の壁側の端部５ａはＺ字形に屈曲され、屈曲部５ａと壁躯体１との間にはコーキングやパッキン等の気密材１７が配設されており、カバー材５の自由端は壁躯体１と反対側の建物躯体２の縁１６上に係合して遊動自在に支持されている。
【００２５】
上記構成によれば、建物躯体１、２が変位する場合、図３のように両建物躯体１、２が互いに接近して間隙Ｓが狭くなるときは、パンタグラフ体３は縮小し、カバー用ホルダ４とカバー材５は壁躯体１と反対側の躯体２の面に沿って摺動する。なお、パンタグラフ体３が縮小するとき、保持具１４等の保持部１３はカバー用ホルダ４の長手方向に添って摺動溝１２の内部を摺動する。
【００２６】
図４のように両建物躯体１、２が互いに変位し離間して間隙Ｓが広くなったり直ちに通常の間隙幅に戻ったりしながら躯体が変位するが、幅広のときパンタグラフ体３は伸長し、カバー用ホルダ４とカバー材５は壁躯体１と反対側の躯体２の面に沿って摺動する。間隙Ｓがカバー材５よりも広くなっても、カバー材５はホルダ４のパンタグラフ体３に支持されているので、カバー材５が間隙Ｓの内側に落ち込むことはなく、かつ、止水板で間隙を覆って気密は保持されている。なお、パンタグラフ体３が伸長するときも、保持具１４のスライド板等の保持部１３はカバー用ホルダ４長手方向の摺動溝１２に添って内部を摺動しながらカバー用ホルダ４はパンタグラフ体３に遊動する。
【００２７】
さらに、図５のように、両建物躯体１、２が間隙Ｓの深さ方向にずれるときは、カバー用ホルダ４の支持部材８の取付部材８ｂは躯体１、２に固定された固定部材８ａとが支軸９を介して回動自在に連結しているので、上記ずれに十分に対応することができる。また、このときカバー材５の自由端部が建物躯体面に係合していると、カバー材５がカバー用ホルダ４から離反しようとするがパンタグラフ体３とカバー用ホルダ４とは保持具１４によって互いに弾性的に引き寄せられているので、カバー用ホルダ４がパンタグラフ体３から外れることがない。
【００２８】
次に、図６はエキスパンションジョイントの他の例で、このエキスパンションジョイントは、平面状態に建物躯体２、２を相対させた間隙Ｓ内方に支持部材８、８を取付け、これに伸縮自在なパンタグラフ体３を配設し、このパンタグラフ体３にカバー用ホルダ４を支持させ、このカバー用ホルダ４にカバー材５を架設したものである。
【００２９】
上記パンタグラフ体３とカバー用ホルダ４とは、上述のものと同じ保持具１４を介して互いに引き寄せられた状態になっている。
【００３０】
パンタグラフ体３は図７に示されるように、４本のリンク６を菱形に連結するとともに、上記リンクのうち相対するリンクを中間リンク７によって連結したもので、上記間隙Ｓの幅方向に伸縮自在となっている。
【００３１】
パンタグラフ体３の両端は建物躯体２、２に向き合いに設けられた支持部材８に支持されている。
【００３２】
支持部材８は、図１〜図５に示した例と同じ構成であり、この支持部材８は、建物躯体１、２に直接ビス止めにて固定された全体コ字状で端縁が止水板用止め縁付きで他縁がＬ字形の固定部材８ａと、該固定部材８ａの先端軸受け部８ｃを支軸９に回動自在に取り付けられた取付部材８ｂとからなり、取付部材８ｂには、間隙Ｓの開口端側にパンタグラフ体３およびカバー用ホルダ４を止着する取付部１０が形成されている。軸受け部８ｃと支軸９は上記間隙Ｓの長手方向に平行に設けられている。
そして、両側の支持部材８の取付部と上記パンタグラフ体３の伸縮方向の両端とを連結軸１１を介して回動自在に連結している。連結軸１１は上記間隙Ｓの深さ方向に設けられている。
【００３３】
次に、上記パンタグラフ体３上にはカバー用ホルダ４が支持されている。カバー用ホルダ４の断面形状は図２（ｂ）に示したものと同じで、内部には保持具１４のスライド板等の保持部１３が摺動可能に保持されている。
【００３４】
カバー用ホルダ４とパンタグラフ体３の中間リンク７の中心とは上記保持部１３付きの保持具１４によって保持されている。この保持具１４も、上述のものと同様、パンタグラフ体３を貫通した杆体１４ａと、杆体１４ａの支承端部とパンタグラフ体３との間に設けられたスプリング、板等のバネ材１５とから構成されている。これにより、カバー用ホルダ４とパンタグラフ体３とは弾性的に引き寄せられるとともに、保持具１４は、前記間隙に配したパンタグラフ体３が伸縮しカバー用ホルダ４が移動するときに上記間隙Ｓの幅方向に配したカバー用ホルダ４の摺動溝の長手方向に添って移動し摺動可能となる。
【００３５】
上記カバー用ホルダ４の両端は建物躯体２、２の縁上に係合して遊動自在に支持されている。
【００３６】
図示されていないが、上記カバー用ホルダ４の片方側であって、中央寄りの端部分又は端部には、上記連結軸１１によって上記壁躯体１の回動可能な支持部材に軸着され、且つ、中間部分のカバー用ホルダ４にはパンタグラフ体３と保持具１４を介して摺動可能に保持し、他方側の端は他方の建物躯体２の縁上に係合して遊動自在に支持されている。
【００３７】
上記構成によれば、建物躯体２、２が変位する場合、図８のように両建物躯体２、２が互いに接近して間隙Ｓが狭くなるときは、パンタグラフ体３は縮小し、カバー用ホルダ４とカバー材５とは建物躯体面の両方又は片方側に沿って摺動する。
【００３８】
図９のように両建物躯体２、２が互いに離間して間隙Ｓが広くなるときは、パンタグラフ体３は伸長し、カバー用ホルダ４は両建物躯体２、２又は片方側の躯体面に沿って摺動する。間隙Ｓがカバー材５よりも広くなっても、カバー材５はカバー用ホルダ４に支持されているので、カバー材５が間隙Ｓの内側に落ち込むことはない。
【００３９】
さらに、図１０のように、両建物躯体２、２が間隙Ｓの深さ方向にずれるときは、カバー用ホルダ４のパンタグラフ体３は支持部材8の取付部材８ｂが躯体に固定された固定部材８ａとが支軸９を介して回動自在に連結しているので、上記いずれにも変位しながら支持と保持の状態を十分に対応することができる。また、このときカバー材５の自由端部が建物躯体面に係合していると、カバー材５がカバー用ホルダ４から離反しようとするがパンタグラフ体３とカバー用ホルダ４とは保持具１４によって互いに弾性的に引き寄せられているので、カバー用ホルダ４がパンタグラフ体３から外れることがない。
【００４０】
なお、図１１（ａ）（ｂ）に示されるように、パンタグラフ体３とカバー用ホルダ４および保持具１４を前述した実施例と同様に構成する他は、パンタグラフ体３を格子状に形成するとともに、保持具１４は２本の中間リンク７と交差する部位に複数個それぞれとりつけるようにしてもよい。この構成は入隅部に限定されない。図１２（ａ）（ｂ）に示されるように、図６等の実施例と同等であって、この図１２の場合は格子状のパンタグラフ体３と複数の保持具１４の配設が異なった例で、間隙Ｓをはさんで相対する両建物躯体２、２に配設されるエキスパンションジョイントの場合も同様である。
【００４１】
また、パンタグラフ体３は、格子状、菱形状の単体構成のものに限定されない。図１３（ａ）（ｂ）のように、菱形状の単体を連結して構成するようにしてこれらのパンタグラフ体３とカバー用ホルダ４との任意な交差部分に保持具１４を複数個配設し、これらを変位時に摺動可能に保持してもよい。
【００４２】
さらに、カバー材５も１枚構成のものに限定されない。図１４に示されるように、両建物躯体２、２間の支持部材８に配設されたパンタグラフ体３の上に側カバー用ホルダ４Ｂ、４Ｂと中央カバー用ホルダ４Ａを前述したと同様の任意な交差部分に適数個の保持具１４、１４を介して保持し、該各々のカバー用ホルダ１４に側カバー５Ｂ、５Ｂと中央カバー５Ａを取りつけるとともに、両建物躯体２、２側に配置された側カバー５Ｂと上記中央カバー５Ａとを重合させる構成であってもよい。なお、図示の符号は上述の例と同じとする。以下の例も同じである。
【００４３】
同様に、図１５に示されるように、両建物躯体２、２側の支持部材８に配置された側カバー用ホルダ４Ｂの側カバー５Ｂと、側カバー５Ｂのさらに前記間隙Ｓの中央側に重合配置された補助側カバー用ホルダ４Ｃの補助側カバー５Ｃと、中央カバー用ホルダ４Ａに取りつけられて中央に配置された中央カバー５Ａとから構成するようにしてもよい。前述した支持部材８の固定部材８ａと回動可能に側カバー５Ｂは取付部材８ｂに固定されているが、補助カバー５Ｃの補助カバー用ホルダ４Ｃは取付部材８ｂから離反して側カバー用ホルダ４Ｂに移動可能に支持具２０ａを介して保持すると共に他方の補助カバー用ホルダ４Ｃの長手方向に移動可能に中央カバー５Ａ端の支持具２０ｂを介して保持され互いに支持されながら摺動できるようになっている。なお、補助カバー用ホルダ４ｃの内方に幅方向にスプリング等のバネ材２０ｃの支持具２０により建物躯体２、２が変動した後は元の位置に復帰するように付勢されている。補助カバー５Ｃは２個以上で間隙Ｓの幅に任意に増減配置してもよい。
【００４４】
さらに、図１６のように、補助カバー５Ｃを補助カバー用ホルダ４に保持するようにし、補助カバー５Cを中央カバー５Ａ用ホルダ４Ａと側カバー５Ｂとは補助カバー５Ｃの下に重合するとともに、パンタグラフ体３に保持具１４を介して保持するように配置してもよい。
【００４５】
【発明の効果】
請求項１に係る発明によれば、躯体を相対した平面状態または入隅部を構成する建物躯体が接近又は離間したときは、パンタグラフ体が伸縮し、その上に保持されたカバー用ホルダとカバー材は片側方のカバー用ホルダとカバー材の位置を決めつつ、かつ、他方の建物躯体の変位には十分変位し摺動可能に対応する。たとえ建物躯体間の間隙がカバー材よりも広くなっても、カバー材とカバー用ホルダに、かつ、カバー用ホルダはパンタグラフ体に支持されているので、カバー材が間隙の内側に落ち込むことはない。
【００４６】
また、パンタグラフ体とカバー用ホルダとは保持具を介して互いに引き寄せ引き寄せ状態になっているので、カバー用ホルダがパンタグラフ体から外れることがない。
【００４７】
請求項２に係る発明によれば、建物躯体が接近又は離間したときは、パンタグラフ体が伸縮し、その上に保持されたカバー用ホルダとカバー材の両端は建物躯体の傾動や伸縮変位に対応して摺動するが、たとえ建物躯体間の間隙がカバー材よりも広くなっても、カバー材はカバー用ホルダに支持されているので、カバー材が間隙の内側に落ち込むことはない。
【００４８】
また、パンタグラフ体とカバー用ホルダとは保持具を介して互いに引き寄せ引き寄せ状態になっているので、カバー用ホルダがパンタグラフ体から外れることがない。
【００４９】
請求項３に係る発明によれば、保持具は、パンタグラフ体が伸縮するときに建物躯体間の間隙の幅方向にパンタグラフ体とカバー用ホルダと交差する任意な位置に常に摺動可能に設けられているから、パンタグラフ体が伸縮するにも拘わらず保持具がカバー用ホルダを安定に保持することができる。
【００５０】
請求項４に係る発明によれば、保持具はカバー用ホルダとパンタグラフ体とを弾性的に引き寄せるものであるから、カバー用ホルダとパンタグラフ体とが離反するように動いても、これに引き寄せ状態を維持対応して保持具はカバー用ホルダとパンタグラフ体とを安定に保持することができる。
【００５１】
請求項５に係る保持具は、パンタグラフ体を貫通した杆体と、上記杆体の一端に設けられて前記カバー用ホルダの長手方向に形成された摺動溝に沿って摺動可能なスライド保持部と、杆体の他端とパンタグラフ体との間に設けられたバネ材とから構成されているから、カバー用ホルダを取付けたパンタグラフ体が伸縮するときに建物躯体間の間隙幅方向のカバー用ホルダに摺動可能とする機能と、カバー用ホルダとパンタグラフ体とを弾性的に引き寄せる機能とを効果的に果たすことができる。
【００５２】
請求項６に係る発明によれば、保持具は、パンタグラフ体に対して複数個が枢支または移動可能な保持を維持しながら設けられているから、パンタグラフ体とカバー用ホルダとの保持強度が大きくなる。
【００５３】
請求項７に係る発明によれば、パンタグラフ体は、格子状、菱形状の単体又はこの単体を連結したものを含むものであるから、多様な構成対応が可能となる。
【００５４】
請求項８に係る発明によれば、間隙を隔てて相対する建物躯体にそれぞれ設けられた支持部材の固定部材とパンタグラフ体を回動自在に取りつけた取付部材と、この取付部材に上記パンタグラフ体とを連結軸を介して間隙の深さ方向の回動自在に連結したので、パンタグラフ体自体が建物躯体のどのような方向に対しても遊動自在に対応することができる。
【００５５】
請求項９に係る発明によれば、前記カバー材を、前記両建物躯体側に配置された側カバーの背面に側カバー用ホルダと、側カバーのさらに前記間隙の中央側に重合配置された中央カバーとこの中央カバーの背面に中央カバー用ホルダを構成したので、建物躯体間の間隙が広い場合にも対応することができる。
【００５６】
請求項１０に係る発明によれば、さらに、建物躯体間の間隙が広い場合にも対応することができる。
【図面の簡単な説明】
【図１】本発明に係る入隅部におけるエキスパンションジョイントの縦断面図
【図２】（ａ）（ｂ）は上記エキスパンションジョイントの要部の平面図及びその中央縦断面図
【図３】建物躯体が接近状態に変位した状態の縦断面図
【図４】建物躯体が離間状態に変位した状態の縦断面図
【図５】建物躯体がずれるように変位した状態の縦断面図
【図６】本発明に係る他のエキスパンションジョイントの縦断面図
【図７】上記エキスパンションジョイントの要部の平面図
【図８】建物躯体が接近状態に変位した状態の縦断面図
【図９】建物躯体が離間状態に変位した状態の縦断面図
【図１０】建物躯体がずれるように変位した状態の縦断面図
【図１１】（ａ）（ｂ）は格子状パンタグラフ体３を使用した例の縦断面図及び平面図
【図１２】（ａ）（ｂ）は格子状パンタグラフ体３を使用した他の例の縦断面図及び平面図
【図１３】（ａ）（ｂ）は格子状パンタグラフ体３を使用したさらに他の例の縦断面図及び平面図
【図１４】複数カバー構成のエキスパンションジョイントの縦断面図
【図１５】複数カバー構成のエキスパンションジョイントで他の例の縦断面図
【図１６】複数カバー構成のエキスパンションジョイントでさらに他の例の縦断面図
【符号の説明】
Ｓ  間隙
１  建物躯体（壁躯体）
２  建物躯体
３  パンタグラフ体
４  カバー用ホルダ
５  カバー材
１４  保持具
【図１】
0003741266.tif 000002
【図２】
0003741266.tif 000003
【図３】
0003741266.tif 000004
【図４】
0003741266.tif 000005
【図５】
0003741266.tif 000006
【図６】
0003741266.tif 000007
【図７】
0003741266.tif 000008
【図８】
0003741266.tif 000009
【図９】
0003741266.tif 000010
【図１０】
0003741266.tif 000011
【図１１】
0003741266.tif 000012
【図１２】
0003741266.tif 000013
【図１３】
0003741266.tif 000014
【図１４】
0003741266.tif 000015
【図１５】
0003741266.tif 000016
【図１６】
0003741266.tif 000017